(57)【要約】【課題】可能な限り良好なリサイクル性を有しつつも、衝撃緩衝に対する高い要求を満たすパレットを提供することである。【解決手段】繊維材料が天然繊維から成っているようにした。【選択図】図１
2008044676.tif 000002
【特許請求の範囲】
【請求項１】
荷物を収容および搬送するためのパレット（１０）であって、荷物を収容する上側プラットフォーム（１１）と、該上側プラットフォーム（１１）の下面に取り付けられる支持エレメント（１２）または連結区分（１１．１，１２．１）によって取付け可能なブロック状または条片状の支持エレメント（１２）とが設けられており、少なくとも該支持エレメント（１２）が、繊維材料が混入されているプラスチックから構成されている形式のものにおいて、繊維材料が天然繊維から成っていることを特徴とするパレット。
【請求項２】
天然繊維が混入されている少なくとも支持エレメント（１２）の材料と構成とが、ばね・緩衝特性を有しており、該ばね・緩衝特性が、収容しようとする重量に合わせられている、請求項１記載のパレット。
【請求項３】
少なくとも支持エレメント（１２）自体が、中空室（１２．５）を備えている、請求項１または２記載のパレット。
【請求項４】
中空室（１２．５）が、プラスチック材料内の孔および／または形状付与により製造されている、請求項３記載のパレット。
【請求項５】
支持エレメント（１２）が異形材条片として形成されている、請求項１から４までのいずれか一項記載のパレット。
【請求項６】
プラスチックが、ＰＵフォームまたは熱塑性プラスチックであり、繊維材料が麻繊維から成っている、請求項１から５までのいずれか一項記載のパレット。
【請求項７】
支持する壁区分が、上側プラットフォーム（１１）と基礎との間において、横断面で水平に対して少なくとも部分的に傾けられているかまたは湾曲されている、請求項１から６までのいずれか一項記載のパレット。
【請求項８】
条片状の支持エレメント（１２）が、中空異形材として形成されている、請求項４から７までのいずれか一項記載のパレット。
【請求項９】
支持する壁区分が、Ｘ字形、Ｓ字形、丸みを帯びたまたは楕円形の構造を有している、請求項７または８記載のパレット。
【請求項１０】
繊維材料と、この繊維材料が混入されているプラスチック材料との弾性係数が、剪断応力の最小化のために段階的な移行を有している、請求項１から９までのいずれか一項記載のパレット。
【発明の詳細な説明】
【技術分野】
【０００１】
本発明は、荷物の収容および搬送のためのパレットであって、荷物を収容する上側プラットフォームと、この上側プラットフォームの下面に取り付けられる支持エレメントまたは連結区分によって取付け可能なブロック状または条片状の支持エレメントとが設けられていて、この場合、少なくとも支持エレメントが、繊維材料が混入されているプラスチックから構成されている形式のものに関する。
【背景技術】
【０００２】
この種のパレットはドイツ連邦共和国特許出願公開第３６１２６４７号明細書に記載されている。この公知のパレットの場合、支承および搬送しようとする物品は、支持する下部構造体に載置されている積載板に収容され、パレットの材料として、繊維材料が混入されているプラスチックを使用する。繊維材料は、樹脂が浸透しているガラスファイバ織物の、フロックに破砕されたチップから成っている。
【０００３】
ドイツ連邦共和国実用新案第２９９０９００１号明細書に示されているプラスチックから成るパレットの、収容プラットフォームを収容している介在ブロックにも、繊維マットが補強のために供給されているか、または二軸で延ばされる熱可塑性樹脂が、場合によっては付加的に供給されている。この場合、繊維マットはガラスマットまたは炭素繊維マットである。
【０００４】
ＪＰ０７３２９９６９では、パレットを組み立てるために、金属製補強エレメントが供給されているプラスチック材料が提案されている。
【０００５】
比較的多くの部材から構成される木材から成るパレットとは異なり、繊維材料が混入されているプラスチックから成る前記パレットは、有利には製造および成形付与時に比較的高い安定性をもって提供される。しかし、この種の構成でも、特に搬送中に、収容されている物品に対して不都合に作用する恐れのある衝撃が起こった際の、緩衝能に対する高い要求を常に満たすことはできない。
【特許文献１】ドイツ連邦共和国特許出願公開第３６１２６４７号明細書
【特許文献２】ドイツ連邦共和国実用新案第２９９０９００１号明細書
【特許文献３】ＪＰ０７３２９９６９
【発明の開示】
【発明が解決しようとする課題】
【０００６】
従って、本発明の課題は、冒頭で述べた形式のパレットを改良して、可能な限り良好なリサイクル性を有しつつも、衝撃緩衝に対する高い要求を満たすことである。
【課題を解決するための手段】
【０００７】
この課題を解決した本発明による請求項１の特徴部によれば、繊維材料が天然繊維から成っているようにした。
【発明の効果】
【０００８】
天然繊維から成る繊維材料は、もともと備えている構成により衝撃発生時に高い安定性および緩衝能を発揮し、これによって突発的に力がかかる際の収容されている物品の衝突は、発明者の調査から明らかになったように、特に効果的に緩衝される。こうして、敏感な物品を、搬送中の振動による損壊からより良好に保護することができる。その際、材料はもともと有している有利なリサイクル性を提供する。
【０００９】
この構造は、天然繊維が混入されている少なくとも支持エレメントの材料と構成とが、ばね・緩衝特性を有していることにより、収容しようとする物品に対する有利な衝撃吸収を提供する。ばね・緩衝特性は収容しようとする重量に合せられている。この場合、たとえばパラメータとして、材料の繊維延び方向、繊維量および／または結合、および／または材料の形状付与を適切に調節することができる。
【００１０】
本発明に係るパレットは、荷物を収容および搬送するためのパレットであって、荷物を収容する上側プラットフォームと、該上側プラットフォームの下面に取り付けられるブロック状または条片状の支持エレメントまたは連結区分によって取付け可能なブロック状または条片状の支持エレメントとが設けられており、少なくとも該支持エレメントが、繊維材料が混入されているプラスチックから構成されている形式のものにおいて、繊維材料が天然繊維から成っていることを特徴とする。
【００１１】
有利には、さらにパレットの製造および吸収特性のために、少なくとも支持エレメント自体に中空室を設けるという手段がある。この場合、必要な安定性および吸収特性下で重量を最適化することにより、材料需要および取扱いにも有利に影響を及ぼすことができる。
【００１２】
この場合、種々異なる構成ヴァリエーションは、中空室が、プラスチック材料における孔および／または成形加工により製造されているということにある。
【００１３】
構成、支持特性および操作性は、支持エレメントを異形材条片として形成することにより助成される。
【００１４】
この場合、特に良好なショック吸収特性と安定性とは、プラスチックがＰＵフォームまたは熱可塑性プラスチックであり、繊維材料が麻繊維から成っていることによりもたらされる。
【００１５】
さらに、上側プラットフォームと基礎との間を支持する壁区分が、横断面で少なくとも部分的に水平に対して傾いているか、または湾曲されていて、これにより、耐性および安定性は同様に適切に作用可能であるという手段は良好なショック吸収に貢献する。
【００１６】
さらに機能、製造および取扱い性は、条片状の支持エレメントが中空異形材として形成されていると助成される。
【００１７】
この場合、有利な構成の可能性は、支持する壁区分がＸ字形、Ｓ字形、丸みを帯びているかまたは楕円形の構造を有しているということにある。
【００１８】
さらに有利にはショック吸収時の安定性および機能性は、繊維材料およびこの繊維材料が混入されているプラスチック素材の弾性係数が、剪断応力を最小化するために段階的な移行を有していることにより発揮される。これにより、繊維とこの繊維が混入されているプラスチックとが分離することはない。
【００１９】
天然繊維を備えることは、サーモリサイクル可能な再生原料であるということにより利点をもたらす。
【００２０】
本発明に係るパレットは、有利には、天然繊維が混入されている少なくとも支持エレメントの材料と構成とが、ばね・緩衝特性を有しており、該ばね・緩衝特性が、収容しようとする重量に合わせられている。
【００２１】
本発明に係るパレットは、有利には、少なくとも支持エレメント自体が、中空室を備えている。
【００２２】
本発明に係るパレットは、有利には、中空室が、プラスチック材料内の孔および／または形状付与により製造されている。
【００２３】
本発明に係るパレットは、有利には、支持エレメントが異形材条片として形成されている。
【００２４】
本発明に係るパレットは、有利には、プラスチックが、ＰＵフォームまたは熱塑性プラスチックであり、繊維材料が麻繊維から成っている。
【００２５】
本発明に係るパレットは、有利には、支持する壁区分が、上側プラットフォームと基礎との間において、横断面で少なくとも部分的に水平に対して傾けられているかまたは湾曲されている。
【００２６】
本発明に係るパレットは、有利には、条片状の支持エレメントが、中空異形材として形成されている。
【００２７】
本発明に係るパレットは、有利には、支持する壁区分が、Ｘ字形、Ｓ字形、丸みを帯びたまたは楕円形の構造を有している。
【００２８】
本発明に係るパレットは、有利には、繊維材料と、この繊維材料が混入されているプラスチック材料との弾性係数が、剪断応力の最小化のために段階的な移行を有している。
【発明を実施するための最良の形態】
【００２９】
以下に、本発明の実施例を図面に基づいて詳しく説明する。
【００３０】
図１には、縁側で、上方に突出しているリブ状の側方の制限区分１１．２と、同様に上方に突出している後方の制限区分１１．３とによって制限されていて、背面に一体に成形されて長手方向で延びている、平行な条片状の支持エレメント１２を備えている上側プラットフォーム１１を有するパレット１０が示してある。
【００３１】
３つの支持エレメント１２のうち、２つの支持エレメント１２が側方の縁領域に配置されていて、１つの支持エレメント１２が中央に配置されている。この場合、これらの支持エレメント１２の間には、フォークリフトのフォークの挿入のために自由空間が開放されている。支持エレメント１２内には、その長手方向で延びている中空室が形成されていて、これらの中空室によって、材料節約がもたらされるだけでなく、衝撃吸収のために有利なばね・緩衝特性がもたらされるようにもなる。
【００３２】
ショックパレットとして形成されたパレット１０は、プラスチック材料内に担体として埋め込まれている天然繊維である繊維材料を有している。この場合、麻繊維が埋め込まれているＰＵフォームが特に有利だとわかった。しかし、たとえば木材のような別の天然繊維を使用することもできる。プラスチックと繊維材料との組成、特にＰＵフォームと麻繊維との組成自体は、有利な衝撃吸収特性を備えた高い安定性をもたらしている。この場合、天然の繊維構造が、衝撃吸収を高い安定性において助成する。麻繊維自体は、糸状のマイクロ構造を有していて、支持織物内に埋め込まれている。この場合、ＰＵフォームと麻繊維との弾性係数は有利には互いに調和することができ、緩衝度は繊維延在にわたって調整可能である。加えて、衝撃吸収特性は、たとえば所定の優先方向で配向するかまたは方向付けて設けることで、量および埋設構造体と、繊維の長さとを介して付加的に影響され、収容しようとする物品の重量とその特性とに適合することができる。
【００３３】
図２Ａおよび図２Ｂに示されている実施例では、支持エレメント１２は、支承もしくは搬送しようとする物品を収容する上側プラットフォーム１１とは別体であり、さらに下側プラットフォーム１３とは別体に形成されている。この下側プラットフォーム１３は基礎に支承される。横断面でＸ字形に形成されている支持エレメント１０は、横断面で三角形の２つの中空室を有する中空異形材を形成する。この場合、上方から下方に延びている支持区分は、水平ひいては鉛直に対しても斜めに方向付けられていて、交差するＸ脚部は上方および下方でそれぞれのカバー壁によって閉鎖されている。上側のカバー壁の上面と下側のカバー壁の下面とには、それぞれ連結対向区分１２．１；１２．３が、鳩尾状の横断面をもって一体成形されている。この連結対向区分１２．１；１２．３は、組み立てられた状態で、上側プラットフォームの下面と下側プラットフォームの上面とに設けられている相補的な溝状の連結区分１１．１；１３．１内に、可能な限り遊びなしで、必要な場合には一定のプレス嵌めで、押し込まれている。さらに、連結区分１１．１；１３．１および／または連結対向区分１２．１；１２．３に、適切な保持構造部を一体に加工することができるか、または付加的な固定エレメントを使用することができる。これによって支持エレメント１２と、上側プラットフォーム１１および下側プラットフォーム１３とが、堅固に相互に位置固定される。この手段によって、天然繊維が混入されているプラスチックから成る前記材料から、容易に組立て可能なパレットを、有利には、包装ユニットとして使用者にそれぞれの需要に応じて提供することができる。
【００３４】
図３Ａおよび図３Ｂには、上側プラットフォーム１１と、その下方に取り付けられる支持エレメント１２とを備えたパレット１０の別の構成が示してある。この場合、上側プラットフォーム１１と支持エレメント１２との連結は、前記実施例に相応し、鳩尾状の溝のである連結区分１１．１と、横断面で鳩尾状の突起である連結対向区分１２．１とを介して、溝・キー結合の形式で行われている。支持エレメント１２は、各連結対向区分１２．１を介在して支持エレメント１２に一体成形されている、横断面で楕円形の対向区分を備えている。この構成では、横断面で楕円形の中空室が、そのように形成された中空異形材の長手方向で延在していて、楕円の長軸が水平に方向付けられていて、その結果、比較的広幅な支持が、湾曲された支持区分でもたらされる。この支持区分で、有利な衝撃吸収が獲得される。このような２つの中空室を備えた異形材条片の下面には、基礎に設置するためにそれぞれ１つの滑走体が一体成形されている。
【００３５】
支持エレメント１２が横断面でＸ字形に形成されている図４に示した実施例の場合にも、支持エレメント１２は、上側プラットフォーム１１もしくは下側プラットフォーム１３と一体成形することができる。この構成では、支持力に応じて脚部の壁厚および／または脚部の傾きおよび／または脚部の数をパレットの幅にわたって、受容したい重量および吸収したい衝撃に関連して選択することができる。
【００３６】
図５に示してある別の実施例の場合には、上側プラットフォーム１１と下側プラットフォーム１３との間に、横断面でＳ字形の支持エレメント１２を有する支持装置が配置されている。支持エレメント１２は、それぞれ開放した２つの中空室を形成している。この構成では、支持力は閉じられた中空室の場合よりも相応に僅かにしか調節できないが、その一方で下方もしくは上方に方向付けられ長手方向で延びて開放している端部縁部が、ばね移動距離を制限している。これによって、支持区分の破壊に繋がる恐れのある過度の伸張は阻止されている。このように形成された支持エレメントは、上側プラットフォーム１１もしくは下側プラットフォーム１３と一体成形することができるか、またはしかし一方で、プラットフォーム１１，１３に設けられている連結区分１１．１；１３．１と、他方で、支持エレメント１２に設けられている連結対向区分と、前記実施例と同じように位置固定することができる。
【００３７】
一つにはプラスチック材料と天然繊維とから成る材料に関する組成のパラメータ、もう一つには支持エレメント１２の形状付与および寸法設定を、最適な衝撃吸収の獲得のために相互に適切に調和させることができる。この場合、たとえばキャビネットまたは物が取り付けられているケーシングといった搬送したい各物品の特性、および／または搬送手段の特性、およびこれらに伴う衝撃過程をそれぞれ考慮することができる。
【００３８】
記載の構成は有利な衝撃吸収特性の他に、選択した材料により有利なサーマルリサイクル性と、再生原料により有利な材料基材とを有してもいる。
【図面の簡単な説明】
【００３９】
【図１】衝撃緩衝支持部を有するショックパレットの一体形の実施例の斜視図である。
【図２】図Ａおよび図Ｂは、第１横断面形状の介在支持エレメントを有する、上側プラットフォームと下側プラットフォームとから形成されたパレットが、部分的に互いに合わされた、もしくは組み合わされた状態を示す図である。
【図３】図Ａおよび図Ｂは、上側プラットフォームと別の横断面を有する支持エレメントとから成るパレットが、部分的に互いに合わされた、もしくは組み合わされた状態を示す図である。
【図４】上側および下側プラットフォームとその間に配置されている異なる横断面の支持エレメントとを有するパレットの第２実施例を正面から見た図である。
【図５】上側および下側プラットフォームとその間に配置されている異なる横断面の支持エレメントとを有するパレットの第２実施例を正面から見た図である。
【符号の説明】
【００４０】
１０  パレット、  １１  パレットフォーム、  １１．１，１３．１  連結区分、  １１．２，１１．３  制限区分、  １２  支持エレメント、  １２．１，１２．３  連結対向区分、  １２．４  滑走体、  １３  プラットフォーム
【図１】
2008044676.tif 000003
【図２】
2008044676.tif 000004
【図３】
2008044676.tif 000005
【図４】
2008044676.tif 000006
【図５】
2008044676.tif 000007